(57)【要約】【課題】通信レスポンスの低下を抑えながら、再生表示時の解像度を最大限に高めることができる電子撮像装置を提供する。【解決手段】電子撮像装置は、画像再生手段（システム制御部２０、液晶パネル表示部２５）と、画像再生に関わる付帯情報を送信する付帯情報送信手段（通信制御部３０）とを備える。また、付帯情報を基に、外部装置４００側で再生に適するように加工された再生画像データを受信する再生画像データ受信手段（通信制御部３０）を備える。また、受信した再生画像データを表示メモリへ転送する再生画像データ転送手段（システム制御部２０）を備える。【選択図】図１
2008141586.tif 000002
【特許請求の範囲】
【請求項１】
外部装置とデータ送受信を行う電子撮像装置において、
画像再生手段と、
画像再生に関わる付帯情報を送信する付帯情報送信手段と、
前記付帯情報を基に、前記外部装置側で加工された再生画像データを受信する再生画像データ受信手段と、
受信した前記再生画像データを表示メモリへ転送する再生画像データ転送手段と、
を備えることを特徴とする電子撮像装置。
【請求項２】
前記付帯情報は、１枚の画像を数回に分割して送信するための分割再生情報、画像サイズを任意の再生画像サイズに変換する倍率情報、画像の一部の領域を切り出すフレーミング情報、拡大表示機能における画像拡大率、拡大表示機能におけるスクロール制御情報、マルチ画像表示機能における画像配置情報のうちのいずれかを含むことを特徴とする電子撮像装置。
【請求項３】
外部装置とデータ送受信を行う電子撮像装置の制御方法において、
画像再生ステップと、
画像再生に関わる付帯情報を送信する付帯情報送信ステップと、
前記付帯情報を基に、前記外部装置側で加工された再生画像データを受信する再生画像データ受信ステップと、
受信した前記再生画像データを表示メモリへ転送する再生画像データ転送ステップと、
を備えることを特徴とする電子撮像装置の制御方法。
【請求項４】
前記付帯情報は、１枚の画像を数回に分割して送信するための分割再生情報、画像サイズを任意の再生画像サイズに変換する倍率情報、画像の一部の領域を切り出すフレーミング情報、拡大表示機能における画像拡大率、拡大表示機能におけるスクロール制御情報、マルチ画像表示機能における画像配置情報のうちのいずれかを含むことを特徴とする電子撮像装置の制御方法。
【請求項５】
外部機器と通信する画像処理装置であって、
画像データを記憶する記憶手段と、
前記外部機器より、前記画像データの表示形態を指定するための付帯情報を受信する受信手段と、
当該記憶手段に記憶された画像データを、前記付帯情報に基づいて画像処理する画像処理手段と、
前記画像処理手段により画像処理されたデータを前記外部機器に送信する送信手段とを有することを特徴とする画像処理装置。
【請求項６】
前記付帯情報は、１枚の画像を数回に分割して送信するための分割再生情報、画像サイズを任意の再生画像サイズに変換する倍率情報、画像の一部の領域を切り出すフレーミング情報、拡大表示機能における画像拡大率、拡大表示機能におけるスクロール制御情報、マルチ画像表示機能における画像配置情報のうちのいずれかを含むことを特徴とする画像処理装置。
【請求項７】
画像データを記憶する記憶手段を有する画像処理装置の制御方法であって、
前記外部機器より、前記画像データの表示形態を指定するための付帯情報を受信する受信ステップと、
前記記憶手段に記憶された画像データを、前記付帯情報に基づいて画像処理する画像処理ステップと、
前記画像処理ステップにより画像処理されたデータを前記外部機器に送信する送信ステップとを有することを特徴とする画像処理装置の制御方法。
【発明の詳細な説明】
【技術分野】
【０００１】
本発明は、電子撮像装置及びその制御方法に関する。
【背景技術】
【０００２】
一般的に電子撮像装置において撮影画像を格納するために、着脱可能な記録媒体（コンパクトフラッシュ(登録商標)カード、磁気ディスクドライブ等）を使用していた。しかし電子撮像装置に使用されるＣＣＤやＣＭＯステップＳイメージセンサの画素数が増加したことで、記録画像のファイルサイズも比例的に増加しており、記録媒体に格納できるファイル数は減少した。また、このような着脱可能な記録媒体に関しては、メモリ容量の大きなものは価格が高く、使用者は、紛失や落下衝撃による破壊を回避するように注意して使用する必要があった。
【０００３】
最近では、無線ＬＡＮ等の通信技術を使用し、電子撮像装置に送受信部を持つことで、遠隔に設置している大容量の記録装置を備えた外部装置（いわゆるサーバー）に対して、撮影画像ファイルを送信したり、外部装置（いわゆるサーバー）から格納画像ファイルを受信し再生する技術がある。
【０００４】
また、最近の記録画素数の増加によるファイルサイズの増加から、通信レスポンスの低下を解消するため、撮影画像ファイルに含まれるサムネイル画像を利用する技術が公知である（例えば、特許文献１参照）。
【特許文献１】特開２００１−１９７４２９号公報
【発明の開示】
【発明が解決しようとする課題】
【０００５】
上述の技術においては、外部装置に格納された画像ファイルに含まれるサムネイル画像を送信している。しかし、サムネイル画像の解像度は、再生表示画像の解像度に比べ低く、最近の液晶パネルディスプレイの高解像化と大画面化に反して、再生表示の画質が低くなり、画像確認に適さないといった問題があった。
【０００６】
また、最近の電子撮像装置に一般的な画像再生時の拡大／縮小機能の場合には、外部装置（いわゆるサーバー）から画像ファイル自体を送受信する必要があり、このような場合での通信レスポンスの低下は、解消されていない。本来、拡大や縮小再生表示に使用する画像の解像度は、画像ファイルに比べ小さく、結局受信した画像ファイルを加工する必要があった。
【０００７】
本発明の目的は、通信レスポンスの低下を抑えながら、再生表示時の解像度を最大限に高めることができる電子撮像装置及びその制御方法を提供することにある。
【課題を解決するための手段】
【０００８】
上記目的を達成するために、請求項１記載の電子撮像装置は、外部装置とデータ送受信を行う電子撮像装置において、画像再生手段と、画像再生に関わる付帯情報を送信する付帯情報送信手段と、前記付帯情報を基に、前記外部装置側で再生に適するように加工された再生画像データを受信する再生画像データ受信手段と受信した前記再生画像データを表示メモリへ転送する再生画像データ転送手段とを備えることを特徴とする。
【０００９】
請求項３記載の電子撮像装置の制御方法は、外部装置とデータ送受信を行う電子撮像装置の制御方法において、画像再生ステップと、画像再生に関わる付帯情報を送信する付帯情報送信ステップと、前記付帯情報を基に、前記外部装置側で再生に適するように加工された再生画像データを受信する再生画像データ受信ステップと、受信した前記再生画像データを表示メモリへ転送する再生画像データ転送ステップとを備えることを特徴とする。
【発明の効果】
【００１０】
本発明の電子撮像装置は、画像再生手段と、画像再生に関わる付帯情報を送信する付帯情報送信手段と、付帯情報を基に、外部装置側で再生に適するように加工された再生画像データを受信する再生画像データ受信手段とを備える。また、受信した再生画像データを表示メモリへ転送する再生画像データ転送手段を備える。
【００１１】
このように、画像再生に関わる付帯情報を外部装置に送信し、付帯情報を基に、外部装置側で再生に適するように加工された再生画像データを受信するので、通信レスポンスの低下を抑えながら、再生表示時の解像度を最大限に高めることができる。
【発明を実施するための最良の形態】
【００１２】
以下、本発明の実施の形態を図面を参照しながら詳細に説明する。
【００１３】
図１は、本発明の実施の形態に係る電子撮像装置と外部装置のブロック構成を概略的に示す図である。
【００１４】
図１において、電子撮像装置１００は、レンズユニット２００、ストロボユニットを搭載している。以下、その構成を動作と併せて説明する。
【００１５】
レンズユニット２００、図示されていない被写体の光学像を、レンズ２１０から、絞り２１１、レンズマウント２０２及び１０２、シャッター１４を介して導き、撮像素子２１上に結像することができる。
【００１６】
Ａ／Ｄ変換部２２は、撮像素子２１のアナログ信号出力をディジタル信号に変換する。Ａ／Ｄ変換されたディジタル信号は、メモリ制御部２４及びシステム制御部２０により制御され、メモリ２６に格納される。
【００１７】
画像処理部２３は、ディジタル信号のデータあるいはメモリ制御部２４からのデータに対して所定の画素補間処理や色変換処理を行う。また、画像処理部２３は、適応離散コサイン変換等により、画像データを圧縮伸長する圧縮・伸長部も備えており、メモリ２６に格納された画像を読み込んで圧縮処理あるいは伸長処理を行い、処理を終えたデータをメモリ２６に書き込むことも可能である。
【００１８】
さらに、画像処理部２３においては、撮像した画像データを用いて所定の演算処理を行い、得られた演算結果に基づいてＴＴＬ方式のＡＷＢ（オートホワイトバランス）処理も行っている。
【００１９】
メモリ制御部２４は、Ａ／Ｄ変換部２２、画像処理部２３、液晶パネル表示部２５、外部着脱メモリ部２７とメモリ２６間のデータの送受を制御する。Ａ／Ｄ変換部２２のデータが画像処理部２３、メモリ制御部２４を介して、あるいはＡ／Ｄ変換部２２のデータが直接メモリ制御部２４を介して、メモリ２６に書き込まれる。
【００２０】
液晶パネル表示部２５は、通信制御部３０により、外部装置４００より表示用画像データを受信後、メモリ２６の表示用格納領域へ書き込まれた画像が表示される。また、表示用の画像データは、外部着脱メモリ部２７に格納された画像ファイルから再生することも可能である。
【００２１】
液晶パネル表示部２５は、システム制御部２０の指示により任意に表示をオン、オフすることが可能であり、表示をオフにした場合には、電子撮像装置１００の電力消費を大幅に低減することができる。
【００２２】
メモリ２６は、撮影した静止画像、再生用表示のための画像を格納するためのものであり、所定枚数の静止画像を格納するのに十分な記憶量を備えている。尚、メモリ２６は、システム制御部２０の作業領域としても使用することが可能である。
【００２３】
外部着脱メモリ部２７は、コンパクトフラッシュ(登録商標)やＳＤカードといった記録媒体に画像ファイル記録や読み出しを行うためのものである。不揮発性メモリ２８は、電気的に消去・記録可能なものであり、例えばフラッシュメモリやＥＥＰＲＯＭ等が用いられる。また、不揮発性メモリ２８には、撮影状態の保存や、電子撮像装置１００を制御するプログラムが格納されている。
【００２４】
電源部２９は、電池検出部、ＤＣ−ＤＣコンバータ、通電するブロックを切り替えるスイッチ部等により構成されている。そして、電池の装着の有無、電池の種類、電池残量の検出を行い、検出結果及びシステム制御部２０の指示に基づいてＤＣ−ＤＣコンバータを制御し、必要な電圧を必要な期間、記録媒体を含む各部へ供給する。
【００２５】
通信制御部３０は、電子撮像装置１００と外部装置４００との間で、画像データの送受信を可能とする。また、通信制御部３０は、携帯端末やワイヤレスＬＡＮ等の無線高速通信を利用することで、外部装置４００と遠隔でのデータ送受信を可能とする。
【００２６】
シャッター制御部１１は、測光部１２からの測光情報に基づいて、絞り２１１を制御するレンズ制御部２０３と連携しながら、シャッター１４を制御する。
【００２７】
測光部１２は、ＡＥ（自動露出）処理を行うためのものである。レンズ２１０に入射した光線を、絞り２１１、レンズマウント２０２及び１０２、そして不図示の測光用レンズを介して、測光部１２に入射させることにより、光学像として結像された画像の露出状態を測定することができる。
【００２８】
また、測光部１２は、ストロボユニット３００と連携することによりＥＦ（フラッシュ調光）処理機能も有するものである。またストロボユニット３００は、ＡＦ補助光の投光機能、フラッシュ調光機能も有する。
【００２９】
測距部１３は、ＡＦ（オートフォーカス）処理を行うためのものである。レンズ２１０に入射した光線を、絞り２１１、レンズマウント２０２及び１０２、そして不図示の測距用ミラーを介して、測距部１３に入射させることにより、光学像として結像された画像の合焦状態を測定することができる。
【００３０】
また、測距部１３及び測光部１２を専用に備える構成のため、測距部１３及び測光部１２を用いてＡＦ処理、ＡＥ処理、ＥＦ処理の各処理を行う構成となっている。
【００３１】
カメラ制御部１０は、シャッター制御部１１、測光部１２、測距部１３との送受通信によりカメラとしての一連の動作を制御するものである。またカメラ制御部１０は、レンズユニット２００、ストロボユニット３００を制御することも可能である。システム制御部２０は電子撮像装置１００全体を制御する。
【００３２】
操作部４０、４１、４２、４３、及び４４は、システム制御部２０の各種の動作指示を入力するためのものであり、スイッチやダイアル、タッチパネル、視線検知によるポインティング、音声認識装置等の単数あるいは複数の組み合わせで構成される。
【００３３】
ここで、これらの操作部の具体的な説明を行う。
【００３４】
再生スイッチ４０は、液晶パネル表示部２５に所定の画像データを表示する操作ができる。格納画像ファイルを再生表示する場合は、必ずこの再生スイッチ４０により操作する必要があり、再生表示モードは、１枚再生で開始される。また、すでに再生表示モードで、この操作が行われた場合には、再生表示モードから撮影モードへの切り替えができる。
【００３５】
拡大／縮小スイッチ４１は、液晶パネル表示部２５に選択された表示画像の拡大／縮小表示モードへの切り替えを操作できる。またすでに拡大／縮小表示モードで、この操作が行われた場合は、１つ前の再生表示モードに戻ることを意味する。
【００３６】
マルチ再生スイッチ４２は、液晶パネル表示部２５に選択された表示画像を同時に複数枚表示可能なマルチ表示モードへの切り替えを操作できる。また、すでにマルチ表示モードでこの操作が行われた場合は、１つ前の再生表示モードに戻ることを意味する。
【００３７】
レリーズスイッチ４３は、レリーズボタンの操作途中（ＳＷ１）及び操作完了（ＳＷ２）で各々オンとなるスイッチである。操作途中状態では、ＡＦ処理、ＡＥ処理、ＡＷＢ（オートホワイトバランス）処理、ＥＦ処理等の動作開始を指示する。また、操作完了で、撮像素子２１から読み出した信号を、Ａ／Ｄ変換部２２、メモリ制御部２４を介してメモリ２６に書き込む露光処理の動作開始を指示する。また、画像処理部２３やメモリ制御部２４での演算を用いた現像処理、メモリ２６から画像データを読み出し、画像処理部２３でさらに圧縮を行い、外部着脱メモリ部２７に装着された不図示の記録媒体に画像データを書き込む記録処理の動作開始を指示する。
【００３８】
また、画像データを、通信制御部３０により外部装置４００へ転送し、外部装置４００の大容量ストレージ４０３の固有のフォルダに書き込むことにより、より安全で、且つ大量の画像データが格納可能となる。
【００３９】
操作部４４は各種ボタンスイッチからなる。具体的には、メニュー、撮影モード、連写モード、セット、マクロ、ページ送り、ページ戻り、フラッシュ設定、メニュー移動＋（プラス）、メニュー移動−（マイナス）、ホワイトバランス選択等を行うスイッチである。
【００４０】
また、撮影画質選択、露出補正、日付／時間設定、画像再生の拡大／縮小のズーム倍率を変更するズーム倍率＋（プラス）、ズーム倍率−（マイナス）等を行うスイッチである。また、拡大／縮小の再生表示ウィンドゥ位置を移動させる上下左右方向スイッチ、液晶パネル表示部２５のオン／オフを設定する画像表示オン／オフスイッチである。
【００４１】
また、撮影直後に撮影した画像データを自動再生するクイックレビュー機能を設定するクイックレビューオン／オフスイッチである。また、ＪＰＥＧ圧縮の圧縮率を選択するため、あるいは撮像素子の信号をそのままディジタル化して記録媒体に記録するＣＣＤＲＡＷモードを選択するためのスイッチである圧縮モードスイッチである。
【００４２】
また、再生画像の中で不要な画像を消去する画像消去スイッチである。また、ＡＦモード設定スイッチである。ＡＦモード設定スイッチは、レリーズスイッチ半押ししたらオートフォーカス動作を開始する。そして一旦合焦したらその合焦状態を保ち続けるワンショットＡＦモードとレリーズスイッチ半押している間は連続してオートフォーカス動作を続けるサーボＡＦモードとを設定することができる。
【００４３】
また、上記プラスボタン及びマイナスボタンの各機能は、回転ダイアルスイッチや十字キーを備えることによって、より軽快に数値や機能を選択することが可能となる。
【００４４】
電源スイッチ４５は、電子撮像装置１００の電源オン、電源オフの各モードを切り替え設定することができる。また、電子撮像装置１００に接続されたレンズユニット２００、ストロボユニット３００、記録媒体等の各種付属装置の電源オン、電源オフの設定も合わせて切り替え設定することができる。
【００４５】
レンズマウント１０２、２０２は、電子撮像装置１００とレンズユニット２００とを接続するためのインターフェース、コネクタ１０１、２０１は、電子撮像装置１００とレンズユニット２００とを電気的に接続するものであり、カメラ制御部１０により制御される。
【００４６】
アクセサリシュー１１１、３０１は、電子撮像装置１００とストロボユニット３００とを接続するためのインターフェースである。レンズユニット２００は交換レンズタイプのものである。ストロボユニット３００はストロボ発光制御部３０２を備える。
【００４７】
レンズ制御部２０３は、レンズユニット２００全体を制御する。レンズ制御部２０３は、動作用の定数、変数、プログラム等を記憶するメモリやレンズユニット２００固有の番号等の識別情報、管理情報、開放絞り値や最小絞り値、焦点距離等の機能情報、現在や過去の各設定値等を保持する不揮発メモリの機能も備えている。
【００４８】
また、レンズ制御部２０３は、絞り２１１を制御したり、レンズ２１０のフォーカシングを制御したり、レンズ２１０のズーミングを制御する機能も兼ね備えている。
【００４９】
外部装置４００において、中央処理部４０１は全体の処理を行う。通信制御部４０２により電子撮像装置１００と送受信したデータの解析や、画像加工処理、格納画像ファイルの管理する機能も備えている。
【００５０】
通信制御部４０２は、Ｅｔｈｅｒｎｅｔ(登録商標)等使用したＬＡＮ接続により電子撮像装置１００とデータ送受信する機能を有する。大容量ストレージ４０３は、大容量ハードディスクといった記録媒体に、多量の画像ファイルを格納することができる。また外部装置４００の基本オペレーティングシステムや、画像管理ツール、画像加工処理ツール等のアプリケーション等も格納されている。
【００５１】
図２、図３は、図１における電子撮像装置によって実行される基本撮像処理の手順を示すフローチャートである。
【００５２】
本処理は、図１におけるシステム制御部２０によって実行される。
【００５３】
図２、図３において、電池交換等の電源投入により、フラグや制御変数等を初期化する。外部着脱メモリ部２７により不図示の記録媒体（メモリカード等）が検出された場合は、メモリカード内のファイル情報の取得、割り込み処理の登録等の電子撮像装置１００の各部において必要な所定の初期設定を行う（ステップＳ１）。
【００５４】
電源スイッチ４５の設定位置を判断し、電源スイッチ４５が電源オンになるまで、電源スイッチ４５の監視を続ける（ステップＳ２）。電源スイッチ４５が電源オンに設定されていたならば、電源部２９内のＤＣ／ＤＣコンバータの起動や、電池等により構成される不図示の電源の残容量や動作情況を監視するシステムを起動させる（ステップＳ３）。
【００５５】
電子撮像装置１００を起動させるに十分な電池残容量や電源部２９により供給される電圧に問題があるか否かを判断し（ステップＳ４）、問題があるならばシステム制御部２０内のメモリにエラー情報フラグを設定し、警告表示処理（ステップＳ３７）へ移行する。
【００５６】
電源部２９に問題が無いならば、カメラ制御部１０は、現在電子撮像装置１００に装着されているレンズユニット２００、ストロボユニット３００等を検出し、各アクセサリに関する情報の取得、初期設定を実行する。
【００５７】
さらにカメラ制御部１０は、システム制御部２０からモードダイアルの設定位置の情報や、不揮発性メモリ２８に保存されている撮影モードに関する設定情報を取得する。そして、測光部１２、測距部１３、また検出された各アクセサリの設定情報から適切な撮影条件設定処理を行う（ステップＳ５）。
【００５８】
通信制御部３０を初期化し、外部装置４００とのネットワーク通信網を利用した接続を試みる。接続が正常に行われた後に電子撮像装置１００の認証確認を行い、必要に応じてパスワード入力を行う（ステップＳ６）。
【００５９】
電子撮像装置１００を起動させるに十分な電池残容量を判断し（ステップＳ２１）、問題があるならばエラー情報フラグを設定し、警告表示処理（ステップＳ３７）に移行する。
【００６０】
警告表示処理（ステップＳ３７）においては、エラー情報フラグの内容を判断し、液晶パネル表示部２５を用いて画像や音声による所定の警告表示を行う。また電源スイッチ４５の設定位置が電源オフになるまで（ステップＳ３８）、ステップＳ３８の判断処理を繰り返し実行する。電源スイッチ４５の設置位置が電源オフと判断されると、ステータス退避処理（ステップＳ３５）以降の終了処理を実行する。
【００６１】
ステップＳ２１において、電池残容量に問題が無いならば、モードダイアルの設定位置が変更されたかどうかを判断し（ステップＳ２２）、設定位置の変更があった場合は、カメラ制御部１０へ現在の撮影条件を通知する。
【００６２】
カメラ制御部１０が、通知された撮影モード情報から、撮影条件設定処理を実行した後に（ステップＳ２３）、ステップＳ２１に戻る。またモードダイアルの設定位置に変更が無かった場合は、ステップＳ２４に移行する。
【００６３】
レリーズスイッチ４３（ＳＷ１）が押されたかどうかを判断し（ステップＳ２４）、レリーズスイッチ４３（ＳＷ１）が押されていた場合は、ＡＦ／ＡＥ、露光、現像、記録の一連のレリーズ処理を実行する（ステップＳ２５）。ステップＳ２５の処理を実行後、ステップＳ２１の処理に戻る。またレリーズスイッチ４３（ＳＷ１）が押されなかった場合は、ステップＳ２６に移行する。
【００６４】
再生スイッチ４０が押されたかどうかを判断し（ステップＳ２６）、押されていた場合は、後述する再生モードのサブルーチン処理により、液晶パネル表示部２５において撮影画像の再生表示を行う（ステップＳ２７）。
【００６５】
また、ステップＳ２７においては、拡大／縮小スイッチ４１、マルチ再生スイッチ４２、操作部４４により再生画像のページ送り／戻し、９画面同時表示（マルチ再生）、拡大表示、撮影条件表示（ＩＮＦＯ再生）、撮影画像の消去等の処理も行われる。ステップＳ２７の処理を実行後、ステップＳ２１に戻る。また再生スイッチ４０が押されなかった場合は、ステップＳ２８に移行する。
【００６６】
操作部４４に含まれる連写モードスイッチが押されたかどうかを判断し（ステップＳ２８）、連写モードスイッチが押されていた場合は、連写モード設定処理を実行する（ステップＳ２９）。ステップＳ２９の処理を実行後、ステップＳ２１に戻る。また連写モードスイッチが押されなかった場合は、ステップＳ３０に移行する。
【００６７】
操作部４４に示す各種スイッチのいずれかのスイッチが押されたかどうかを判断し（ステップＳ３０）、各種操作部材に応じた処理を実行する（ステップＳ３１）。ステップＳ３１の処理を実行後、ステップＳ２１に戻る。また操作部４４に示す各種スイッチが押されなかった場合は、ステップＳ３２に移行する。
【００６８】
操作部４４に含まれるメニュースイッチが押されたかどうか判断し（ステップＳ３２）、液晶パネル表示部２５に、各種カメラ撮影の補助設定や、記録媒体へのユーティリティ等の各種項目を表示する。そして、操作部４４のさまざまなボタンスイッチにより選択・実行を行う（ステップＳ３３）。ステップＳ３３の処理を実行後、ステップＳ２１に戻る。またメニュースイッチが押されていなかった場合は、ステップＳ３４に移行する。
【００６９】
電源スイッチ４５の設定位置を判断し（ステップＳ３４）、電源オンに設定されている場合はステップＳ２１に戻る。また電源オフに設定されていた場合は、電子撮像装置１００の終了処理を行うために、フラグや制御変数等を含む必要なパラメータや設定値、撮影モード等を不揮発性メモリ２８や、システム制御部２０内のメモリ等に記録する（ステップＳ３５）。
【００７０】
最後に、電源部２９により液晶パネル表示部２５、外部着脱メモリ部２７、レンズユニット２００、ストロボユニット３００を含む電子撮像装置１００の各部不要な電源を遮断し、動作状況を監視するシステムの終了処理を実行する（ステップＳ３６）。
【００７１】
一連の電子撮像装置１００の終了処理は終わり、ステップＳ２にて再び電源スイッチ４５の設定値が電源オンとなるまで、監視を続ける。
【００７２】
図４は、図３のステップＳ２７で実行される再生モード処理の手順を示すフローチャートである。
【００７３】
図４において、通信制御部３０を用いてＥｔｈｅｒｎｅｔ(登録商標)での、ＬＡＮ接続により外部装置４００と、ステータス確認や、画像ファイル管理フォルダのセキュリティチェックを行う（ステップＳ４１）。
【００７４】
外部装置４００の中央処理部４０１は、電子撮像装置１００固有のステータス確認後、所定のフォルダ内に保管されている画像ファイルのカタログ情報を作成、通信制御部４０２より電子撮像装置１００へ送信する。電子撮像装置１００では、このカタログ情報によって、外部装置４００に格納されている画像から、電子撮像装置１００の表示部に表示させたい画像を選択することができる。また電子撮像装置１００で、選択した画像の消去やページ送り、ページ戻り等のコマンド送信が発生した場合、所定の処理を実行後、カタログ情報を更新し、電子撮像装置１００へ再送信する（ステップＳ４２）。
【００７５】
再生モード処理に十分な電池残容量か否かを判断し（ステップＳ４３）、問題があるならばエラー情報フラグの設定を行い、警告表示処理（図３、ステップＳ３７）に移行する。
【００７６】
電池残容量に問題がないなら、電子撮像装置１００に備えられた再生スイッチ４０、拡大／縮小スイッチ４１、マルチ再生スイッチ４２、あるいは操作部４４に含まれるスイッチのいずれかの入力が行われたかを確認する（ステップＳ４４）。再生に係わるいずれかのスイッチが押された場合はステップＳ４５へ、いずれも押されなかった場合はステップＳ５４に移行する。
【００７７】
ステップＳ４４で押されたスイッチに応じて、メモリ２６内の再生表示モード変数の更新を行う（ステップＳ４５）。再生表示モードの変数として、撮影情報表示モード、マルチ再生表示モード、拡大／縮小表示モード、シングル再生表示モード、再生表示終了モードがある。
【００７８】
スイッチの押される前の変数の示すモードと、押されたスイッチの状態を比較し、状態を更新し、ステップＳ４６へ移行する。またスイッチの押される前の変数の示すモードとスイッチの状態が同じ場合、その変数の示すモードがシングル再生表示モードならば、再生表示終了モードへ、それ以外の場合は、シングル再生表示モードに更新する。
【００７９】
ステップＳ４５で更新された変数の示すモードが、シングル再生表示モードか否かを判断し（ステップＳ４６）、シングル再生表示モードの場合には、後述するシングル再生表示処理を実行し（ステップＳ４７）、ステップＳ４２へ戻る。またモードがそれ以外の場合は、ステップＳ４８へ移行する。
【００８０】
ステップＳ４５で更新された変数の示すモードが、マルチ再生表示モードか否かを判断し（ステップＳ４８）、マルチ再生表示モードの場合には、後述するマルチ再生表示処理を実行し（ステップＳ４９）、ステップＳ４２へ戻る。またモードがそれ以外の場合は、ステップＳ５０へ移行する。
【００８１】
ステップＳ４５で更新された変数の示すモードが、拡大／縮小表示モードか否かを判断し（ステップＳ５０）、拡大／縮小表示モードの場合には、後述する拡大／縮小表示処理を実行し（ステップＳ５１）、ステップＳ４２へ戻る。またモードがそれ以外の場合は、ステップＳ５２へ移行する。
【００８２】
ステップＳ４５で更新された変数の示すモードが、撮影情報表示モードか否かを判断し（ステップＳ５２）、撮影情報表示モードの場合には、後述する撮影情報表示処理を実行し（ステップＳ５３）、ステップＳ４２へ戻る。またモードがそれ以外（再生表示終了モード）の場合は、再生モード終了処理（ステップＳ５９）へ移行する。
【００８３】
操作部４４のページ送り・戻りスイッチが押されたかどうかを判断し（ステップＳ５４）、押されていた場合はステップＳ５５へ、押されていない場合はステップＳ５６へ移行する。
【００８４】
ステップＳ５４で押されたスイッチの状態に応じて、現在再生表示されている画像ファイルの前／後の画像ファイルへの切り替えを要求するため、外部装置４００へ、ページ送り、あるいはページ戻りのいずれかのコマンド送信をする。コマンド送信完了後ステップＳ４２へ戻る。
【００８５】
操作部４４の画像消去スイッチが押されたかどうかを判断し（ステップＳ５６）、押されていた場合はステップＳ５７へ、押されていない場合はステップＳ５８へ移行する。
ステップＳ５７では、現在の再生表示画像に対して、画像消去確認のためのアナウンス表示を行う。
【００８６】
このとき表示するアナウンスには、消去、全消去、キャンセルがある。操作部４４のメニュー移動＋、−、セットスイッチの併用により選択されたアナウンスに応じて、外部装置４００へ、消去、全消去のいずれかのマンド送信をする。コマンド送信完了後ステップＳ４２へ戻る。
【００８７】
再生モード中断に係わるスイッチが押されたかどうか判断し（ステップＳ５８）、押されたいた場合には、再生モード終了処理を行うためにステップＳ５９へ移行する。また押されていない場合には、ステップＳ４２へ戻る。
【００８８】
再生モード終了のために、液晶パネル表示部２５の表示消灯処理を実行し、さらに外部装置４００に対してのＬＡＮ接続の終了処理を行い、本処理を終了する。
【００８９】
図５は、図４のステップＳ４７で実行されるシングル再生表示処理の手順を示すフローチャートである。
【００９０】
図５において、通信制御部３０から外部装置４００に対して、再生画像データの取得要求コマンドを送信する（ステップＳ６１）。取得要求コマンドには、再生表示用画像データに関する付帯情報として、画像ファイル名、リサンプリング条件（ピクセルサイズ［縦、横］、画像補間方法等）、出力画像データフォーマット（ＹＵＶ４１１、ＲＧＢ等）を指定する情報が含まれる。
【００９１】
外部装置４００は、後述する外部装置画像加工処理により、上述した付帯情報中の画像指定情報（画像ファイル名）で要求された画像を処理して、再生表示用画像データに加工を行う。外部装置４００から加工処理済みの画像データの受信待機を行う（ステップＳ６２）。
【００９２】
通信制御部３０より受信要求を受け、メモリ２６の所定の受信バッファメモリへ順次パケットデータの受信を開始する。そして、最終パケットデータ受信完了後、ステップＳ６３に移行する。
【００９３】
メモリ２６の受信バッファメモリに格納された再生表示用画像データを、同じメモリ２６に割り当てられた再生表示用バッファメモリ領域（ＶＲＡＭメモリ）へ転送する（ステップＳ６３）。
【００９４】
ステップＳ６４では、液晶パネル表示部２５への電源供給、映像信号出力開始、バックライト点灯の処理を実行し、液晶パネルモニタへの表示を開始し、本処理を終了する。
【００９５】
図６は、図４のステップＳ４９で実行されるマルチ再生表示処理の手順を示すフローチャートである。
【００９６】
図６において、マルチ再生に必要な画像データの転送管理情報を初期化する（ステップＳ６５）。転送管理情報としては、転送回数、各々の画像データのレイアウト構成が含まれる。
【００９７】
通信制御部３０から外部装置４００に対して、再生画像データの取得要求コマンドを送信する（ステップＳ６６）。取得要求コマンドには、再生表示用画像データに関する付帯情報として、画像ファイル名、リサンプリング条件（ピクセルサイズ［縦、横］、画像補間方法等）、出力画像データフォーマット（ＹＵＶ４１１、ＲＧＢ等）が含まれる。
【００９８】
外部装置４００は、後述する外部装置画像加工処理により、要求された再生表示用画像データに加工を行う。外部装置４００から加工処理済みの画像データの受信待機を行う（ステップＳ６７）。
【００９９】
通信制御部３０より受信要求を受け、メモリ２６の所定の受信バッファメモリへ順次パケットデータの受信を開始する。そして、最終パケットデータ受信完了後、ステップＳ６８に移行する。
【０１００】
メモリ２６の受信バッファメモリに格納された再生表示用画像データを、同じメモリ２６に割り当てられた再生表示用バッファメモリ領域（ＶＲＡＭメモリ）の所定配置へ転送し（ステップＳ６８）、ステップＳ６９へ移行する。
【０１０１】
ステップＳ６９では、転送回数変数を−１し、結果が０であれば、マルチ再生表示に必要な画像データをすべて転送終了したと判断し、ステップＳ７０へ移行する。結果が１以上の場合は、残りの画像データ取得のためにステップＳ６６に戻り、次の画像ファイルのデータ要求を実行する。
【０１０２】
ステップＳ７０では、液晶パネル表示部２５への電源供給、映像信号出力開始、バックライト点灯の処理を実行し、液晶パネルモニタへの表示を開始し、本処理を終了する。
【０１０３】
図７は、図４のステップＳ５１で実行される拡大／縮小表示処理の手順を示すフローチャートである。
【０１０４】
図７において、拡大／縮小再生に必要な画像データの転送管理情報を初期化する（ステップＳ７１）。転送管理情報としては、転送回数、画面分割定義、分割画像データのレイアウト構成が含まれる。
【０１０５】
通信制御部３０から外部装置４００に対して、再生画像データの取得要求コマンドを送信する（ステップＳ７２）。取得要求コマンドには、再生表示用画像データに関する付帯情報として以下のものが含まれる、画像ファイル名、リサンプリング条件（ピクセルサイズ［縦、横］、画像補間方法等）、出力画像データフォーマット（ＹＵＶ４１１、ＲＧＢ等）、ズーム機能拡張情報（フレーム［開始位置、終了位置］、倍率等）である。
【０１０６】
外部装置４００は、後述する画像加工処理により、要求された再生表示用画像データに加工を行う。外部装置４００から加工処理済みの画像データの受信待機を行う（ステップＳ７３）。
【０１０７】
通信制御部３０より受信要求を受け、メモリ２６の所定の受信バッファメモリへ順次パケットデータの受信を開始する。そして、最終パケットデータ受信完了後、ステップＳ７４に移行する。
【０１０８】
メモリ２６の受信バッファメモリに格納された再生表示用画像データを、同じメモリ２６に割り当てられた再生表示用バッファメモリ領域（ＶＲＡＭメモリ）の所定配置へ転送し（ステップＳ７４）、ステップＳ７５へ移行する。
【０１０９】
ステップＳ７５では、液晶パネル表示部２５への電源供給、映像信号出力開始、バックライト点灯の処理を実行し、液晶パネルモニタへの表示を開始し、ステップＳ７６へ移行し、表示外領域の画像データを分割して順次転送するために分割転送タスク処理を実行して、本処理を終了する。
【０１１０】
図８は、図７のステップＳ７６で実行される分割転送タスク処理の手順を示すフローチャートである。
【０１１１】
図８において、図７のステップＳ７１で定義された分割情報を元に、分割転送回数ｎ、フレーミング領域情報、ＶＲＡＭ配置情報を更新する（ステップＳ７７）。通信制御部３０から外部装置４００に対して、再生画像データの取得要求コマンドを送信する（ステップＳ７８）。
【０１１２】
取得要求コマンドには、再生表示用画像データに関する付帯情報として、以下のものが含まれる。画像ファイル名、リサンプリング条件（ピクセルサイズ［縦、横］、画像補間方法等）、出力画像データフォーマット（ＹＵＶ４１１、ＲＧＢ等）、ズーム拡張情報（分割ｎに対するフレーム［開始位置、終了位置］、倍率）である。
【０１１３】
外部装置４００は、後述する外部装置画像加工処理により、要求された再生表示用画像データに加工を行う。外部装置４００から加工処理済みの画像データの受信待機を行う（ステップＳ７９）。
【０１１４】
通信制御部３０より受信要求を受け、メモリ２６の所定の受信バッファメモリへ順次パケットデータの受信を開始する。そして、最終パケットデータ受信完了後、ステップＳ８０に移行する。
【０１１５】
メモリ２６の受信バッファメモリに格納された再生表示用画像データを、同じメモリ２６に割り当てられた再生表示用バッファメモリ領域（ＶＲＡＭメモリ）の所定の分割画像配置へ転送し（ステップＳ８０）、ステップＳ８１へ移行する。
【０１１６】
ステップＳ８１では、分割転送回数変数を−１し、結果が０であれば、拡大／縮小表示に必要な分割画像データをすべて転送終了したと判断し、タスク処理を終了する。結果が１以上の場合は、残りの分割画像データ取得のためにステップＳ７７に戻り、次の分割画像ファイルのデータ要求を実行する。
【０１１７】
図９は、図８の分割転送タスク処理における画像分割転送のメモリイメージの特徴を示す図である。
【０１１８】
図９（ａ）、（ｂ）に示す画像データのイメージ図は、太実線の領域が、電子撮像装置１００のメモリ２６における所定領域に格納される、本画像データに対して倍率変換処理後の画像データ全体の領域を表す。また、太点線の領域が、現在、液晶パネル表示部２５に再生表示を行っている画像領域を表す。斜線部で示す領域Ａ乃至Ｆは、分割転送により順次転送される、表示領域外の分割画像データの領域を表している。また、この分割された画像領域は、再生表示ウィンドゥのスクロール移動量に合わせて設定している。
【０１１９】
システム制御部２０は、拡大／縮小スイッチ４１が押されたことを確認した後、液晶パネル表示部２５に、図９（ａ）の太点線に示すように、画像の一部を切出した（フレーミングされた）領域Ａの画像データを、外部装置４００より受信し、再生表示させる。
【０１２０】
その後、分割転送タスク処理により、まずフレーミングされた画像領域の画像データを受信し、領域Ａに格納する。同様に領域Ｂ乃至Ｄの画像データを受信し、それぞれを所定の領域に格納する。
【０１２１】
ここで、操作部４４により、再生表示ウィンドゥの移動方向スイッチにより位置が変更された場合、図９（ｂ）のように再生表示ウィンドゥ領域がスクロールされる。このとき、図中では、変更後の再生表示ウィンドゥの相関した画像データとして、領域Ｅ、Ｆの画像が未受信のため、分割転送タスク処理により、領域Ｅ、Ｆに画像データを順次受信し、それぞれ格納する。
【０１２２】
本実施の形態では、再生表示ウィンドゥの示す領域の、上下左右の相関した分割画像に対して説明した。しかし、分割画像に斜方向に相関した分割画像を順次転送することで、８方向、あるいはアナログ方向での操作部材により、再生表示ウィンドゥのスクロールも可能としてもよい。
【０１２３】
また本実施の形態では、領域Ａ→Ｂ→Ｃ→Ｄの順序での受信を例に説明しているが、転送順序は任意でよい。また、本実施の形態では、分割される画像領域を、再生表示ウィンドゥの１／２画面のスクロール移動量に合わせて説明しているが、１／４画面や１／８画面のスクロール移動量により、分割画像数を増やすことで、滑らかな再生表示ウィンドゥの移動が可能となる。
【０１２４】
図１０は、図４のステップＳ５３で実行される撮影情報表示処理の手順を示すフローチャートである。
【０１２５】
図１０において、通信制御部３０から外部装置４００に対して、再生画像データの取得要求コマンドを送信する（ステップＳ９１）。取得要求コマンドには、再生表示用画像データに関する付帯情報として、画像ファイル名、リサンプリング条件（ピクセルサイズ［縦、横］、画像補間方法等）、出力画像データフォーマット（ＹＵＶ４１１、ＲＧＢ等）が含まれる。
【０１２６】
外部装置４００は、後述する画像加工処理により、要求された再生表示用画像データに加工を行う。外部装置４００から加工処理済みの画像データの受信待機を行う（ステップＳ９２）。
【０１２７】
通信制御部３０より受信要求を受け、メモリ２６の所定の受信バッファメモリへ順次パケットデータの受信を開始する。そして、最終パケットデータ受信完了後、ステップＳ９３に移行する。
【０１２８】
メモリ２６の受信バッファメモリに格納された再生表示用画像データを、同じメモリ２６に割り当てられた再生表示用バッファメモリ領域（ＶＲＡＭメモリ）へ転送する（ステップＳ９３）。
【０１２９】
外部装置４００に対して、ステップＳ９２で受信した画像に関する撮影条件に関するデータや、ヒストグラム表示用データの要求コマンドを送信する（ステップＳ９４）。撮影条件に関するデータとして、撮影日時、ホワイトバランス条件、シャッター秒時、露出、ストロボ補正、合焦された測距点、調光補正、撮影モード、ＩＳＯ感度、画質等が含まれる。
【０１３０】
外部装置４００は、画像ファイルに埋め込まれた撮影情報に関するデータを書式化した表示用データへ変換する。また外部装置４００の中央処理部４０１は、ヒストグラム表示用画像データの要求があった画像ファイルより、ヒストグラム解析処理を行い、再生表示用画像データに加工を行う。
【０１３１】
外部装置４００からこれら撮影情報データ、並びにヒストグラム表示用画像データの受信待機を行う（ステップＳ９５）。通信制御部３０より受信要求を受け、メモリ２６の所定の受信バッファメモリへ順次パケットデータの受信を開始する。そして、最終パケットデータ受信完了後、ステップＳ９６に移行する。
【０１３２】
メモリ２６の受信バッファメモリに格納された撮影情報データの書式から、不揮発性メモリ２８に予め用意された文字フォントや、マークを用いてメモリ２６に割り当てられた再生表示バッファメモリ領域の所定の領域に配置する。またヒストグラム表示用画像データも、同様にメモリ２６に割り当てられた再生表示用バッファメモリ領域（ＶＲＡＭメモリ）の所定の領域に配置する（ステップＳ９６）。
【０１３３】
ステップＳ９７では、液晶パネル表示部２５への電源供給、映像信号出力開始、バックライト点灯の処理を実行し、液晶パネルモニタへの表示を開始し、本処理を終了する。
【０１３４】
本実施の形態では、撮影情報に関する書式化したデータ生成を例に説明したが、符号化によるデータ生成、あるいは再生表示用画像データを生成した場合でも問題ない。
【０１３５】
また、本実施の形態では、ヒストグラム解析処理結果から再生表示用画像データを生成した例を説明しているが、結果のデータを数値化、符号化したデータとして生成した場合でも問題ない。
【０１３６】
図１１は、図１における外部装置によって実行される画像加工処理の手順を示すフローチャートである。
【０１３７】
本処理は、図１における中央処理部４０１によって実行される。
【０１３８】
中央処理部４０１は、電子撮像装置１００から通信制御部４０２に再生用画像データ取得コマンドを受信した場合、本ルーチンを実行する。
【０１３９】
図１１において、まず、受信した取得コマンドに含まれる再生表示用画像データに関する再生用画像管理ＩＤ、並びに付帯情報を符号化した検索用暗号コードを生成する。そして、大容量ストレージ４０３に、電子撮像装置１００固有の再生用画像管理フォルダに情報ファイルとして保存する（ステップＳ１０１）。またこの情報ファイル内には、再生用画像管理ＩＤ、再生表示用画像データ、付帯情報を符号化した検索用暗号コードが含まれる。
【０１４０】
要求のあった再生用画像データの付帯情報と一致する暗号コードの情報ファイルが存在するかどうか、再生用画像管理フォルダ内の全ての情報ファイルと照合し（ステップＳ１０２）する。
【０１４１】
同じ暗号コードの情報ファイルが存在する場合は、作成した情報ファイルは破棄し、既存の情報ファイル内に含まれる再生表示用画像データを読み込み、ステップＳ１０４に移行する。既存の情報ファイルに一致する暗号コードが無い場合は、再生用画像データを生成するためにステップＳ１０３に移行する。
【０１４２】
要求のあった画像ファイルを読み込み、ＪＰＥＧやＴＩＦＦ等の画像情報圧縮の画像ファイルは、伸張処理を行い画像加工処理しやすい、ＹＵＶやＲＧＢ等画像情報フォーマットに変換する。
【０１４３】
さらに、電子撮像装置１００の再生表示に適した画像サイズへの指定された画像補間法を用いリサンプル処理を実行する。また、シングル再生表示や、マルチ再生表示、撮影情報表示に使用する場合は、本画像データの全領域を所定の画像サイズへリサンプルする処理となる。拡大／縮小表示の際には、本画像データの指定の表示領域から所定の画像サイズへリサンプル処理となる。
【０１４４】
さらに、電子撮像装置１００の再生画像に適した画像情報フォーマットへの変換処理（ＹＵＶ４：２：２→ＲＧＢ、ＲＧＢ→ＹＵＶ４：２：２、あるいはＹＵＶ４：２：２→ＹＵＶ４１１等）が必要な場合は、フォーマット変換処理を行う。
【０１４５】
ステップＳ１０３で生成された再生表示用画像データは、情報ファイル内に埋め込み保存し、電子撮像装置１００に対して画像データ送信要求コマンドを送信する（ステップＳ１０４）。
【０１４６】
電子撮像装置１００より画像データ転送準備完了を確認後、通信制御部４０２を介して画像データのパケットデータ送信を順次行う（ステップＳ１０５）。そして、最終パケットデータ送信完了後、本処理を終了する。
【０１４７】
尚、実施の形態の説明においては、電子撮像装置１００は、レンズ交換ディジタルカメラを想定した構成となっているが、レンズ一体型のコンパクトディジタルカメラのような構成としても問題ない。
【０１４８】
また記録媒体は、ＰＣＭＣＩＡカードやコンパクトフラッシュ(登録商標)等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０１４９】
また、着脱メモリ部２７は、複数個の外部メモリを着脱可能に接続可能であっても構わない。また、不揮発性メモリ２８は複数個のメモリで構成されても構わない。また、電子撮像装置１００に記録媒体が装着する構成として説明したが、記録媒体は単数あるいは複数の何れの組み合わせの構成であっても、勿論問題無い。
【０１５０】
また、本実施の形態では、カメラ制御部１０、システム制御部２０は、独立した部構成としているが、システム制御部２０により上記カメラ制御部を兼ね備えた構成であっても、勿論問題ない。
【０１５１】
また、本実施の形態では、電子撮像装置１００と、外部装置４００の接続形態の例として、ＬＡＮ回線によるネットワーク技術を使用した構成になっているが、ＵステップＳＢやＩＥＥＥ１３９４等の高速データ通信技術を使用した構成であっても問題ない。
【図面の簡単な説明】
【０１５２】
【図１】本発明の実施の形態に係る電子撮像装置と外部装置のブロック構成を概略的に示す図である。
【図２】図１における電子撮像装置によって実行される基本撮像処理の手順を示すフローチャートである（その１）。
【図３】図１における電子撮像装置によって実行される基本撮像処理の手順を示すフローチャートである（その２）。
【図４】図３のステップＳ２７で実行される再生モード処理の手順を示すフローチャートである。
【図５】図４のステップＳ４７で実行されるシングル再生表示処理の手順を示すフローチャートである。
【図６】図４のステップＳ４９で実行されるマルチ再生表示処理の手順を示すフローチャートである。
【図７】図４のステップＳ５１で実行される拡大／縮小表示処理の手順を示すフローチャートである。
【図８】図７のステップＳ７６で実行される分割転送タスク処理の手順を示すフローチャートである。
【図９】図８の分割転送タスク処理における画像分割転送のメモリイメージの特徴を示す図である。
【図１０】図４のステップＳ５３で実行される撮影情報表示処理の手順を示すフローチャートである。
【図１１】図１における外部装置によって実行される画像加工処理の手順を示すフローチャートである。
【符号の説明】
【０１５３】
１０  カメラ制御部
１１   ャッター制御部
１２  測光部
１３  測距部
１４   ャッター
２０  システム制御部（画像再生手段及び再生画像データ転送手段構成要素）
２１   撮像素子
２２  Ａ／Ｄ変換部
２３  画像処理部
２４  メモリ制御部
２５  液晶パネル表示部（画像再生手段構成要素）
２６  メモリ（表示メモリ）
２７  外部着脱メモリ部
２８  不揮発性メモリ
２   電源部
３０  通信制御部（付帯情報送信手段及び再生画像データ受信手段構成要素）
４０  再生スイッチ（画像再生手段構成要素）
４１  拡大／縮小スイッチ
４２  マルチ再生スイッチ
４３  レリーズスイッチ
４４  操作部
４５  電源スイッチ
１００  電子撮像装置
１０１  コネクタ
１０２  レンズマウント（カメラ側）
１１１  アクセサリシュー
２００  レンズユニット
２０１  コネクタ
２０２  レンズマウント（レンズ側）
２０３  レンズ制御部
２１０  レンズ
２１１  絞り
３００  ストロボユニット
３０１  アクセサリシュー
３０１  ストロボ発光制御部
４００  外部装置
４０１  中央処理部
４０２  通信制御部
４０３  大容量ストレージ
【図１】
2008141586.tif 000003
【図２】
2008141586.tif 000004
【図３】
2008141586.tif 000005
【図４】
2008141586.tif 000006
【図５】
2008141586.tif 000007
【図６】
2008141586.tif 000008
【図７】
2008141586.tif 000009
【図８】
2008141586.tif 000010
【図９】
2008141586.tif 000011
【図１０】
2008141586.tif 000012
【図１１】
2008141586.tif 000013